【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
複数本の弦を備えた箏を調律する際に使用される箏用調律器であって、
箏の弦番号に対応する複数のランプ(Ｌ1)(Ｌ2)…が設けられた弦表示部(11)と；選択された弦番号情報を一時的に記憶可能な一時記憶部(21)と；この一時記憶部(21)の弦番号情報に基づいて前記弦表示部(11)の弦番号に対応したランプ(Ｌn)を発光させる弦表示制御部(22a)と；
鳴った音が基準音より周波数が高いことを示す第一ランプ(Ｌh)、及び周波数が低いことを示す第二ランプ(Ｌl)が少なくとも設けられた結果表示部(12)と；弦を弾いた際に鳴った音の周波数を検出して周波数情報として出力する周波数検出部(３)と；弦番号に対応した、許容範囲を持つ基準周波数情報が記憶された記憶部(４)と；前記周波数検出部(３)から出力された周波数情報を、一時記憶部(21)の弦番号情報に基づき前記記憶部(４)から読み出した基準周波数情報と比較して許容値の範囲内か範囲外かを判定する誤差判定部(23)と；この誤差判定部(23)から出力された結果情報に基づき、誤差が許容値よりプラス側に大きい場合に前記第一ランプ(Ｌh)を、また誤差が許容値よりマイナス側に大きい場合に前記第二ランプ(Ｌl)を発光させる結果表示制御部(22b)と；
前記誤差判定部(23)から出力された結果情報に基づき、誤差が許容値の範囲内であった場合に、前記一時記憶部(21)の弦番号情報を選択されていた弦の隣の弦の弦番号に書き換える弦変更制御部(24)と；
を備えていることにより、
作業者に調律手順の案内をすることを特徴とする箏用調律器。
【請求項２】
複数の調子に対応するランプ(ＬA)(ＬB)…が設けられた調子表示部(13)と；一時記憶部(21)に記憶された調子情報に基づいて前記調子表示部(13)の調子に対応したランプを発光させる調子表示制御部(22c)と；
弦番号及び調子に対応した基準周波数情報が記憶された記憶部(４)と；周波数検出部(３)から出力された周波数情報を、一時記憶部(21)の弦番号情報と調子情報に基づき前記記憶部(４)から読み出した基準周波数情報と比較して許容値の範囲内か範囲外かを判定する誤差判定部(23)とを備えていることを特徴とする請求項１記載の箏用調律器。
【請求項３】
誤差判定部(23)が、周波数検出部(３)から出力された周波数情報を、一時記憶部(21)の弦番号情報に基づき記憶部(４)から読み出した基準周波数情報と比較して、許容値範囲外の誤差がプラス側の第一閾値より大きいか小さいか、並びにマイナス側の第二閾値より大きいか小さいかを判定するプログラムを備えると共に、結果表示制御部(22b)が、前記誤差判定部(23)の結果情報に基づき誤差が各閾値より小さかった場合に、第一ランプ(Ｌh)または第二ランプ(Ｌl)を点滅発光、或いは第一ランプ(Ｌh)または第二ランプ(Ｌl)の発光輝度を低下させるプログラムを備えていることを特徴とする請求項１または２に記載の箏用調律器。
【請求項４】
弦変更制御部(24)が、一時記憶部(21)の弦番号情報の書き換えを行う前に、結果表示部(12)の所定のランプを一定時間、点滅発光させる移行告知プログラムを備えていることを特徴とする請求項１〜３の何れか一つに記載の箏用調律器。
【請求項５】
筐体表面に、一時記憶部(21)に記憶された弦番号情報を手動で変更可能な弦選択操作部(51)が設けられると共に、制御部(２)に、一時記憶部(21)に記憶された弦番号情報を弦変更制御部(24)により自動的に変更するモードと、一時記憶部(21)に記憶された弦番号情報を弦選択操作部(51)により手動で変更するモードとを切り替えるモード切替制御部(25)が設けられていることを特徴とする請求項１〜４の何れか一つに記載の箏用調律器。
【請求項６】
複数本の弦を備えた箏を調律する際に使用される箏用調律器の制御方法であって、
弦を弾いた際に鳴った音の周波数を、周波数検出部(３)で検出して周波数情報として出力するステップと；
この周波数検出部(３)から出力された周波数情報を、誤差判定部(23)において一時記憶部(21)の弦番号情報に基づき記憶部(４)から読み出した許容範囲を持つ基準周波数情報と比較して許容値の範囲内か範囲外かを判定するステップと；
この誤差判定部(23)から出力された結果情報に基づき、誤差が許容値の範囲内であった場合に、弦変更制御部(24)において一時記憶部(21)の弦番号情報を選択されていた弦の隣の弦の弦番号に書き換えるステップと；
を有することにより、
作業者に調律手順の案内をすることを特徴とする箏用調律器の制御方法。
【請求項７】
複数本の弦を備えた箏を調律する際に使用される箏用調律器であって、
箏の弦番号に対応する複数のランプ(Ｌ1)(Ｌ2)…が設けられた弦表示部(11)と；選択された弦番号情報を一時的に記憶可能な一時記憶部(21)と；この一時記憶部(21)の弦番号情報に基づいて前記弦表示部(11)の弦番号に対応したランプ(Ｌn)を発光させる弦表示制御部(22a)と；
鳴った音が基準音より周波数が高いことを示す第一ランプ(Ｌh)、周波数が低いことを示す第二ランプ(Ｌl)、および周波数が一致していることを示す第三ランプ(Ｌm)が設けられた結果表示部(12)と；弦を弾いた際に鳴った音の周波数を検出して周波数情報として出力する周波数検出部(３)と；弦番号に対応した、許容範囲を持つ基準周波数情報が記憶された記憶部(４)と；前記周波数検出部(３)から出力された周波数情報を、一時記憶部(21)の弦番号情報に基づき前記記憶部(４)から読み出した基準周波数情報と比較して許容値の範囲内か範囲外かを判定すると共に、許容値範囲外の誤差が所定の閾値より大きいか小さいかを判定する誤差判定部(23)と；この誤差判定部(23)から出力された結果情報に基づき、誤差がプラス側の第一閾値より大きい場合に前記第一ランプ(Ｌh)を、また誤差がマイナス側の第二閾値より大きい場合に前記第二ランプ(Ｌl)を、また誤差が許容値の範囲内である場合に前記第三ランプ(Ｌm)を発光させると共に、誤差が許容値から第一閾値の範囲内である場合に、少なくとも前記第一ランプ(Ｌh)を、また誤差が許容値から第二閾値の範囲内である場合に、少なくとも前記第二ランプ(Ｌl)を点滅発光させる結果表示制御部(22b)と；
を備えていることにより、
作業者に調律手順の案内をすることを特徴とする箏用調律器。
【請求項８】
結果表示制御部(22b)が、誤差が許容値から第一閾値の範囲内である場合に、第一ランプ(Ｌh)と第三ランプ(Ｌm)を、また誤差が許容値から第二閾値の範囲内である場合に、第二ランプ(Ｌl)と第三ランプ(Ｌm)を点滅発光させるプログラムを備えていることを特徴とする請求項７記載の箏用調律器。
【請求項９】
誤差判定部(23)において、プラス側の第一閾値と許容値の間に第三閾値が、またマイナス側の第二閾値と許容値の間に第四閾値がそれぞれ設定されると共に、結果表示制御部(22b)が、誤差が第三閾値から許容値の範囲内である場合に、誤差が第一閾値と第三閾値の範囲内であるときより第一ランプ(Ｌh)と第三ランプ(Ｌm)を高速に点滅発光させるプログラムを、また誤差が第四閾値と許容値の範囲内である場合に、誤差が第二閾値と第四閾値の範囲内であるときより第二ランプ(Ｌl)と第三ランプ(Ｌm)を高速に点滅発光させるプログラムを備えていることを特徴とする請求項８記載の箏用調律器。
【請求項１０】
複数本の弦を備えた箏を調律する際に使用される箏用調律器の制御方法であって、
弦を弾いた際に鳴った音の周波数を、周波数検出部(３)で検出して周波数情報として出力するステップと；
この周波数検出部(３)から出力された周波数情報を、誤差判定部(23)において一時記憶部(21)の弦番号情報に基づき記憶部(４)から読み出した許容範囲を持つ基準周波数情報と比較して許容値の範囲内か範囲外かを判定すると共に、許容値範囲外の誤差が所定の閾値より大きいか小さいかを判定するステップと；
この誤差判定部(23)から出力された結果情報に基づき、誤差がプラス側の第一閾値より大きい場合に結果表示部(12)の第一ランプ(Ｌh)を、また誤差がマイナス側の第二閾値より大きい場合に結果表示部(12)の第二ランプ(Ｌl)を、また誤差が許容値の範囲内である場合に結果表示部(12)の第三ランプ(Ｌm)を発光させると共に、誤差が許容値から第一閾値の範囲内である場合に、少なくとも前記第一ランプ(Ｌh)を、また誤差が許容値から第二閾値の範囲内である場合に、少なくとも前記第二ランプ(Ｌl)を点滅発光させるステップと；
を有することにより、
作業者に調律手順の案内をすることを特徴とする箏用調律器の制御方法。
【手続補正２】
【補正対象書類名】明細書
【補正対象項目名】０００６
【補正方法】変更
【補正の内容】
【０００６】
一方、従来においては、基準周波数に対する誤差を発光素子の点灯・点滅・消灯で告知する弦楽器用調律器も提案されているが(特許文献２参照)、この調律器に関しては、誤差表示ランプが弦名表示ランプを兼ねているため、一つの表示ランプに複数の情報（誤差表示と弦の名称）が表示されることになるので、調律時に若年者や高齢者が表示ランプを見て音の高低を直ちに理解し難い。
【手続補正３】
【補正対象書類名】明細書
【補正対象項目名】０００８
【補正方法】変更
【補正の内容】
【０００８】
本発明は、上記問題に鑑みて為されたものであり、その目的とするところは、多数の弦を持つ箏の調律する際に、多弦の琴の奏法に習熟していない若年者や高齢者であっても弦を飛ばさずに、かつ、操作を誤ることなく効率的に作業を行える箏用調律器を提供するとともに、若年者や高齢者等の未習熟の対象者であっても基準周波数に対しての誤差がどの程度かを直ちに認識し得る箏用調律器、並びにこれら箏用調律器の制御方法を提供することにある。
【手続補正４】
【補正対象書類名】明細書
【補正対象項目名】００１０
【補正方法】変更
【補正の内容】
【００１０】
即ち、本発明は、複数本の弦を備えた箏を調律するときに使用される箏用調律器において、箏の弦番号に対応する複数のランプＬ1・Ｌ2…が設けられた弦表示部11と；選択された弦番号情報を一時的に記憶可能な一時記憶部21と；この一時記憶部21の弦番号情報に基づいて前記弦表示部11の弦番号に対応したランプＬnを発光させる弦表示制御部22aと；鳴った音が基準音より周波数が高いことを示す第一ランプＬh、及び周波数が低いことを示す第二ランプＬlが少なくとも設けられた結果表示部12と；弦を弾いた際に鳴った音の周波数を検出して周波数情報として出力する周波数検出部３と；弦番号に対応した、許容範囲を持つ基準周波数情報が記憶された記憶部４と；前記周波数検出部３から出力された周波数情報を、一時記憶部21の弦番号情報に基づき前記記憶部４から読み出した基準周波数情報と比較して許容値の範囲内か範囲外かを判定する誤差判定部23と；この誤差判定部23から出力された結果情報に基づき、誤差が許容値よりプラス側に大きい場合に前記第一ランプＬhを、また誤差が許容値よりマイナス側に大きい場合に前記第二ランプＬlを発光させる結果表示制御部22bと；前記誤差判定部23から出力された結果情報に基づき、誤差が許容値の範囲内であった場合に、前記一時記憶部21の弦番号情報を選択されていた弦の隣の弦の弦番号に書き換える弦変更制御部24とを備えたことにより、作業者に調律手順の案内をする点に特徴がある。
【手続補正５】
【補正対象書類名】明細書
【補正対象項目名】００１５
【補正方法】変更
【補正の内容】
【００１５】
また本発明においては、複数本の弦を備えた箏を調律する際に使用される箏用調律器の制御方法において、弦を弾いた際に鳴った音の周波数を、周波数検出部３で検出して周波数情報として出力するステップと；この周波数検出部３から出力された周波数情報を、誤差判定部23において一時記憶部21の弦番号情報に基づき記憶部４から読み出した許容範囲を持つ基準周波数情報と比較して許容値の範囲内か範囲外かを判定するステップと；この誤差判定部23から出力された結果情報に基づき、誤差が許容値の範囲内であった場合に、弦変更制御部24において一時記憶部21の弦番号情報を選択されていた弦の隣の弦の弦番号に書き換えるステップを含むことにより、作業者に調律手順の案内をする方法を採用できる。
【手続補正６】
【補正対象書類名】明細書
【補正対象項目名】００１６
【補正方法】変更
【補正の内容】
【００１６】
また本発明においては、複数本の弦を備えた箏を調律する際に使用される箏用調律器において、箏の弦番号に対応する複数のランプＬ1・Ｌ2…が設けられた弦表示部11と；選択された弦番号情報を一時的に記憶可能な一時記憶部21と；この一時記憶部21の弦番号情報に基づいて前記弦表示部11の弦番号に対応したランプＬnを発光させる弦表示制御部22aと；鳴った音が基準音より周波数が高いことを示す第一ランプＬh、周波数が低いことを示す第二ランプＬl、及び周波数が一致していることを示す第三ランプＬmが設けられた結果表示部12と；弦を弾いた際に鳴った音の周波数を検出して周波数情報として出力する周波数検出部３と；弦番号に対応した、許容範囲を持つ基準周波数情報が記憶された記憶部４と；前記周波数検出部３から出力された周波数情報を、一時記憶部21の弦番号情報に基づき前記記憶部４から読み出した基準周波数情報と比較して許容値の範囲内か範囲外かを判定すると共に、許容値範囲外の誤差が所定の閾値より大きいか小さいかを判定する誤差判定部23と；この誤差判定部23から出力された結果情報に基づき、誤差がプラス側の第一閾値より大きい場合に前記第一ランプＬhを、また誤差がマイナス側の第二閾値より大きい場合に前記第二ランプＬlを、また誤差が許容値の範囲内である場合に前記第三ランプＬmを発光させると共に、誤差が許容値から第一閾値の範囲内である場合に、少なくとも前記第一ランプＬhを、また誤差が許容値から第二閾値の範囲内である場合に、少なくとも前記第二ランプＬlを点滅発光させる結果表示制御部22bとを備えたことにより、作業者に調律手順の案内をする構成を採用できる。
【手続補正７】
【補正対象書類名】明細書
【補正対象項目名】００１９
【補正方法】変更
【補正の内容】
【００１９】
また本発明においては、複数本の弦を備えた箏を調律する際に使用される箏用調律器の制御方法において、弦を弾いた際に鳴った音の周波数を、周波数検出部３で検出して周波数情報として出力するステップと；この周波数検出部３から出力された周波数情報を、誤差判定部23において一時記憶部21の弦番号情報に基づき記憶部４から読み出した許容範囲を持つ基準周波数情報と比較して許容値の範囲内か範囲外かを判定すると共に、許容値範囲外の誤差が所定の閾値より大きいか小さいかを判定するステップと；この誤差判定部23から出力された結果情報に基づき、誤差がプラス側の第一閾値より大きい場合に結果表示部12の第一ランプＬhを、また誤差がマイナス側の第二閾値より大きい場合に結果表示部12の第二ランプＬlを、また誤差が許容値の範囲内である場合に結果表示部12の第三ランプＬmを発光させると共に、誤差が許容値から第一閾値の範囲内である場合に、少なくとも前記第一ランプＬhを、また誤差が許容値から第二閾値の範囲内である場合に、少なくとも第二ランプＬlを交互に点滅発光させるステップを含むことにより、作業者に調律手順の案内をする方法を採用できる。
【手続補正８】
【補正対象書類名】明細書
【補正対象項目名】００２０
【補正方法】変更
【補正の内容】
【００２０】
本発明(請求項１ないし請求項５)の箏用調律器においては、調律対象となる弦の実際の音と基準音の音程(周波数)が一致したときに、選択されていた弦番号を隣りの弦の弦番号に書き換える処理が自動的に行われるため、箏の取り扱いに慣れていない若年者や高齢者であっても途中の弦を飛ばすことなく箏の全ての弦を順番に調律することができる。
【手続補正９】
【補正対象書類名】明細書
【補正対象項目名】００２１
【補正方法】変更
【補正の内容】
【００２１】
また上記箏用調律器において弦番号の移行処理が自動で行われるようにしたことにより、作業者が箏本体から手を離して調律器を操作する必要がなくなるため、弦や箏柱、ペグの誤操作も防止できる。
このように誤操作を防止することによって、上記箏用調律器では、弦番号の選択操作にかかる時間も省略できるため、調律作業をスムーズに短時間で完了できる。
【手続補正１０】
【補正対象書類名】明細書
【補正対象項目名】００２２
【補正方法】変更
【補正の内容】
【００２２】
また本発明(請求項７ないし請求項９)の箏用調律器においては、結果表示部に周波数の高低を告知するランプを備えると共に、誤差が小さい場合にこれらのランプを点滅発光させて告知するため、若年者や高齢者であっても視覚的に音の高低および誤差の大きさを認識し得る。加えて、点滅発光による表示方法を採用したことにより、視力が低下した高齢者等であっても、光の明暗を認識することで、基準音との誤差の程度を判別することが可能になる。
【手続補正１１】
【補正対象書類名】明細書
【補正対象項目名】００２３
【補正方法】変更
【補正の内容】
【００２３】
したがって、本発明により、箏の取り扱いに慣れた演奏者だけでなく箏に初めて触れる若年者や高齢者でも調律作業をスムーズに行うことを可能とする。
換言すると、調律に不慣れな作業者に対して、調律作業においてその時々に行うべき調律手順を示唆ないし誘導するものである。
しかも、その構成はシンプルで調律の誤差や調律すべき弦を発光で表示するものであり、行うべき調律の作業が視覚的に分かりやすく使い易い箏用調律器を提供できることから、本発明の実用的利用価値は頗る高い。
【手続補正１２】
【補正対象書類名】明細書
【補正対象項目名】００２５
【補正方法】変更
【補正の内容】
【００２５】
『第一実施形態』
次に、本発明の第一実施形態について図１〜図６に基づいて説明する。なお図中、符号Ｔで指示するものは、複数本の弦を備えた箏を調律する際に使用する箏用調律器であり、符号１で指示するのは、調律器の表示部である。また符号２で指示するものは、調律器の制御部であり、また符号３で指示するものは、調律器の周波数検出部である。また符号４で指示するものは、調律器の記憶部であり、また符号５で指示するものは、調律器の操作部である。